(57)【要約】      （修正有）【課題】端末機器と通信インターフェースを介してデータの入出力が行われるＩＣカードであって、利用者に、より容易に確実に指示を音声によって伝達できるＩＣカード、端末機器、およびそれを利用したＩＣカードシステムを提供する。【解決手段】ＩＣカード１は、音声データ生成用のデータ要素が記録された記憶手段３と、端末機器により出力する音声に必要な仕様のデータを通信インターフェースを介して入力する入力手段２と、記録されたデータ要素を用い端末機器より入力された仕様のデータに対応する音声データを作成する音声データ生成手段５と、作成された音声データを端末機器に通信インターフェースを介して出力する出力手段６とを有する。【選択図】図１
2013069032.tif 000002
【特許請求の範囲】
【請求項１】
端末機器と通信インターフェースを介してデータの入出力が行われるＩＣカードであって、
音声データ生成用のデータ要素が記録された記憶手段と、
端末機器により出力する音声に必要な仕様のデータを、通信インターフェースを介して入力する、入力手段と、
記録されたデータ要素を用い、端末機器より入力された仕様のデータに対応する音声データを作成する、音声データ生成手段と、
作成された音声データを端末機器に通信インターフェースを介して出力する出力手段と
を有することを特徴とするＩＣカード。
【請求項２】
ＩＣカードと通信インターフェースを介してデータの入出力が行われる端末機器であって、
利用者に、出力する音声に必要な仕様のデータの入力を促す、入力手段と、
仕様データをＩＣカードに通信インターフェースを介して出力する出力手段と、
ＩＣカードから出力された音声データを、通信インターフェースを介して入力する入力手段と、
音声データから音声信号を生成する音声信号生成手段と、
音声信号から音声を出力する音声出力手段と
を有することを特徴とする端末機器。
【請求項３】
端末機器とＩＣカードとを通信インターフェースを介してデータの入出力が行われ、端末機器から音声を出力するＩＣカードシステムであって、
利用者に、端末機器にＩＣカードを挿入またはかざし、出力する音声に必要な仕様のデータの入力を促す、入力手段と、
仕様データをＩＣカードに通信インターフェースを介して出力する出力手段と、
ＩＣカードに設けた、音声データ生成用のデータ要素が記録された記憶手段と、
端末機器により出力する音声に必要な仕様のデータを、通信インターフェースを介してＩＣカードに入力する、入力手段と、
記録されたデータ要素を用い、端末機器より入力された仕様のデータに対応する音声データを作成する、音声データ生成手段と、
作成された音声データを端末機器に通信インターフェースを介して出力する出力手段と、ＩＣカードから出力された音声データを、通信インターフェースを介して入力する入力手段と、
音声データから音声信号を生成する音声信号生成手段と、
音声信号から音声を出力する音声出力手段と
を有することを特徴とするＩＣカードシステム。
【発明の詳細な説明】
【技術分野】
【０００１】
本発明は、音声案内を有する音声ＩＣカード、それに対応する端末機器、およびそのシステムに関する。
【背景技術】
【０００２】
ＩＣカードは、薄板状のプラスチック材料に薄型のＩＣチップ（半導体集積回路）を組込み、そのＩＣチップには所定の情報処理を行うプログラムが記録されており、またＩＣチップでの情報の記録や読み出しが可能である、クレジットカード大のカードを総称するものである。また、インターフェース手段の違いによって「接触ＩＣカード」（外部端子付きＩＣカード）と「非接触ＩＣカード」（外部端子なしＩＣカード）の各方式、或いは２つの方式を組み合わせたＩＣカード（一般に複合ＩＣカード、ハイブリッドＩＣカード、コンビネーションＩＣカード或いはデュアルインターフェースカードと称される）とに分けられる。
【０００３】
ＩＣカードは、その利用時に、ATM、ゲーム装置、等の端末機器との間で通信を行う。従来、ＩＣカードを利用する場合に、利用者がＩＣカードを端末機器に挿入し、あるいは端末機器にかざすなどして介在させ、利用する内容を指示に従い、入力する。その場合の指示は、端末機器の画面に表示され、それに従い、該当するボタンを押したり、金額等のデータを入力したりして実行する。この指示方法を、利用者に容易に、確実に伝達する方法として、音声にて行うことがなされるようになった。
【０００４】
初期の音声サービスは、特定の言語で、かつ決まったメッセージ音声データが流れるだけである。しかしさらに、高年齢者等でゆっくりと大きい声で、外国の人は自国の言語でサービスを受けたいと言う要望がある。さらには、好みの声質・方言で案内サービスを受けたいと言う要望もある。
【０００５】
これに対し、音声案内の言語を選択できるシステムとして、特許文献１に開示されているようなシステムが知られている。この特許文献は、音声データそのものをＩＣカード内に格納し、カードの所有者を認定する識別子等で指定することで、端末機器で言語指定を実行、音声データの再生を可能としている。しかし、ＩＣカード内に格納されていない音声データ以外、例えば音量等を端末機器等でその都度指定して実行することはできない。
【先行技術文献】
【特許文献】
【０００６】
【特許文献１】特開２００１−１０１３５５号公報
【発明の概要】
【発明が解決しようとする課題】
【０００７】
本発明は、このような要望に応えるもので、ＩＣカードと端末機器を利用したＩＣカードシステムで、より利用者の要望に適合し、容易に確実に指示を音声によって伝達できるＩＣカード、端末機器、およびそれを利用したＩＣカードシステムを提供することを課題とする。
【課題を解決するための手段】
【０００８】
本発明は、以上の課題に鑑みなされたもので、請求項１に記載の本発明は、
端末機器と通信インターフェースを介してデータの入出力が行われるＩＣカードであっ
て、
音声データ生成用のデータ要素が記録された記憶手段と、
端末機器により出力する音声に必要な仕様のデータを、通信インターフェースを介して入力する、入力手段と、
記録されたデータ要素を用い、端末機器より入力された仕様のデータに対応する音声データを作成する、音声データ生成手段と、
作成された音声データを端末機器に通信インターフェースを介して出力する出力手段と
を有することを特徴とするＩＣカードとしたものである。
【０００９】
本発明の請求項２に記載の発明は、
ＩＣカードと通信インターフェースを介してデータの入出力が行われる端末機器であって、
利用者に、出力する音声に必要な仕様のデータの入力を促す、入力手段と、
仕様データをＩＣカードに通信インターフェースを介して出力する出力手段と、
ＩＣカードから出力された音声データを、通信インターフェースを介して入力する入力手段と、
音声データから音声信号を生成する音声信号生成手段と、
音声信号から音声を出力する音声出力手段と
を有することを特徴とする端末機器としたものである。
【００１０】
本発明の請求項３に記載の発明は、
端末機器とＩＣカードとを通信インターフェースを介してデータの入出力が行われ、端末機器から音声を出力するＩＣカードシステムであって、
利用者に、端末機器にＩＣカードを挿入またはかざし、出力する音声に必要な仕様のデータの入力を促す、入力手段と、
仕様データをＩＣカードに通信インターフェースを介して出力する出力手段と、
ＩＣカードに設けた、音声データ生成用のデータ要素が記録された記憶手段と、
端末機器により出力する音声に必要な仕様のデータを、通信インターフェースを介してＩＣカードに入力する、入力手段と、
記録されたデータ要素を用い、端末機器より入力された仕様のデータに対応する音声データを作成する、音声データ生成手段と、
作成された音声データを端末機器に通信インターフェースを介して出力する出力手段と、ＩＣカードから出力された音声データを、通信インターフェースを介して入力する入力手段と、
音声データから音声信号を生成する音声信号生成手段と、
音声信号から音声を出力する音声出力手段と
を有することを特徴とするＩＣカードシステムとしたものである。
【発明の効果】
【００１１】
本発明は、以上のような構成であるので、ＩＣカードと端末機器を利用したＩＣカードシステムで、より利用者の要望に適合し、容易に確実に指示を音声によって伝達できるＩＣカード、端末機器、およびそれを利用したＩＣカードシステムとすることができる。
【図面の簡単な説明】
【００１２】
【図１】本発明のＩＣカードの例を示した構成図である。
【図２】本発明の端末機器の例を示した構成図である。
【図３】本発明のＩＣカードシステムの一例の構成を示したフロー図である。
【図４】図１のＩＣカードのハードの構成例である。
【図５】図２の端末機器のハードの構成例である。
【発明を実施するための形態】
【００１３】
以下、本発明を実施する形態を、図面を参照しつつ説明する。
【００１４】
図１は、本発明のＩＣカードの例を示した構成図である。図の矢印は、データの大まかな動きを示している。本ＩＣカード１は、端末機器と通信インターフェースを介してデータの入出力が行われる。図で、本ＩＣカード１は、音声データ生成用のデータ要素が記録された記憶手段３と、端末機器により出力する音声に必要な仕様のデータを、通信インターフェースを介して入力する、入力手段２と、記録されたデータ要素を用い、端末機器より入力されたデータに対応する音声データを作成する、音声データ生成手段５と、作成された音声データを端末機器に通信インターフェースを介して出力する出力手段６とを有している。
【００１５】
図２は、本発明の端末機器の例を示した構成図である。図の矢印は、データの大まかな動きを示している。本端末機器１１は、利用者に、出力する音声に必要な仕様のデータの入力を促す、入力手段１９と、仕様データをＩＣカードに通信インターフェースを介して出力する出力手段１６と、ＩＣカードから出力された音声データを、通信インターフェースを介して入力する入力手段１２と、音声データから音声信号を生成する音声信号生成手段１７と、音声信号から音声を出力する音声出力手段１８とを有している。
【００１６】
図３は、本発明の、ＩＣカード及び端末機器を利用したＩＣカードシステムの、一例の構成を示したフロー図である。
端末機器１１で、入力手段１９により利用者がＩＣカード１の挿入、またはかざすことでシステムを開始する（Ｓ０）。
【００１７】
まず、音声の仕様の一部であるアプリケーションがＩＣカード１の記憶手段３に複数備えられているか否かをチェックする（Ｓ１）。ここで、アプリケーションとは、音声の声色や声質、さらには言語などの基本的な特徴を意味する。例えば、良く知られている俳優や、タレント、声優、アナウンサ等の音声の特徴を基本にしたプログラムで、これらが複数備えられているかをチェックする。このため、ＩＣカードには、アプリケーションリストを記憶手段３に、記憶しておくのが良い。
例えば、複数の場合、
アプリケーションリスト
（１）アプリケーションＡ
（２）アプリケーションＢ
（３）アプリケーションＣ
（４）アプリケーションＤ
・・・
単数の場合、
アプリケーションリスト
（１）アプリケーションＡ
さらに、入力手段１９により、音声に関する仕様を利用者が入力する（Ｓ２）。あるいは、この仕様をＩＣカードの記憶手段３に記憶させておき、読み出すようにしても良い。この仕様は、上記（Ｓ１）で指定したパラメータで、アプリケーションのほかに、音声データ生成用のデータで、言語の種類、方言の種類、音量、発声の速度等である。
【００１８】
利用者が指定されたアプリケーションを選択し、他の仕様（音声データ生成用のデータ）と共にＩＣカード１に通信インターフェイス出力手段１６で送信する（Ｓ３）。
【００１９】
仕様については、図４の（ａ）、（ｂ）に示したように、アプリケーションと音声データ生成用のデータとで構成され、アプリケーション毎に音声データ生成用のデータを有する。
【００２０】
ＩＣカード１の記憶手段３に記憶されている音声データ作成に必要なデータ要素を、以下に具体的に例示する。
（１）単語／単音
（２）音素（長音／母音／半母音／有声摩擦／無声音／促音）／フォルマント
（３）音程
（４）リズム／ブレス
（５）音量
（６）アクセント（ベロシティ）
（７）区切り
（８）声色／声質
（９）言語
（１０）出力ファイル形式
（１１）アプリケーション
ＩＣカード１の通信インターフェイス入力手段２で受信した、指定されたアプリケーションと他の仕様とに対し、音声データの指定に必要な情報の要求をＩＣカード１から端末機器１１に通信インターフェイス出力手段６で送信する（Ｓ４）。必要な情報とは、データ処理上のフォーマットや、出力ファイル形式などである。
【００２１】
また、ＩＣカード１にアプリケーションが複数ない場合、Ｓ３のユーザーがアプリケーションを選択する行為がスキップされる。すなわち、端末機器１１に準備された対象アプリケーションを選択し（Ｓ２１）、音声データの指定に必要な情報の要求をＩＣカード１から端末機器１１に送信する（Ｓ４）。また、複数ない場合、音声合成データは1セットに限定される。
【００２２】
端末機器１１で、文章フォーマット、音声データ生成用のデータ、の中からいずれを今回使用するか判別し、ＩＣカード１へ通知の送信を行う（Ｓ５）。
【００２３】
端末に、今回の文章フォーマットやデータ要素がサポートされていない場合は、エラー表示する（Ｓ５１）。
【００２４】
つぎに、ＩＣカード１で、端末機器１１から送信された今回用いる指定フォーマットで設定し、設定完了の通知を端末機器１１に送信する（Ｓ６）。
【００２５】
本処理で、今回の音声合成に必要な環境が整えられたことになる。以下、利用者の処理内容にしたがって、文章のデータを作成し、音声を出力する。
【００２６】
通信機器１１で、利用者に、次の処理を入力させ、それにより指定された、出力したい文章を端末機器１１で作成し、ＩＣカード１に送信する（Ｓ７）。
【００２７】
ここで言う処理を例示すれば、入金処理、出勤処理、銀行振り込み、通帳記入等である。
【００２８】
ＩＣカード１で、指定された文章のフォーマットに問題ないか、チェックする（Ｓ８）
。
【００２９】
問題があれば、エラーを表示する（Ｓ８１）。
【００３０】
問題が無ければ、端末機器１１へ受信完了の通知を行い、文章のデータは内部の記憶手段３に保存する（Ｓ９）。
【００３１】
端末機器１１で、指定フォーマットでパラメータを設定し、ＩＣカード１に送信する（Ｓ１０）。
【００３２】
ＩＣカード１に保存した文章のデータと、受信したデータ要素の指定されたパラメータを基に、音声データ生成手段５で、音声元データを作成する（Ｓ１１）。
【００３３】
音声元データを出力ファイル形式にし、端末機器１１に送信する（Ｓ１２）。
【００３４】
端末機器１１では、このファイルから音声信号を音声信号生成手段１７で生成し、音声出力手段１８に出力し、音声を出力する。入力処理が全て終了した場合（Ｓ１３）、
終了とし（Ｓ１４）、
終了していない場合、端末機器１１により、利用者に次の処理の入力を促し、次の出力したい文章を作成する（Ｓ７）。
【００３５】
なお以上の処理で、各チェック処理は、音声データ生成手段でチェックするようにしてもよいし、別途チェック手段を設けても良い。
【００３６】
図４は、本例のＩＣカードのハードの構成例である。ＣＰＵ２３は、通常の中央演算処理で、全体の制御を行う。メモリ２４は、記憶手段のハードで、上記の音声のデータ要素の他に、入力手段や出力手段や音声データ生成手段等のプログラムを記憶しておいても良い。通信制御部２１は、端末機器との間でデータの通信の制御を行う電子回路などのハード部分で、通信インターフェイスのハード部分である。Ｉ／Ｏユニット２２は、その入出力のハード部分である。
【００３７】
図５は、本例の端末機器のハードの構成例である。ＣＰＵ３１は、通常の中央演算処理で、全体の制御を行う。メモリ３４は、記憶手段のハードで、処理中のワーキングデータや、入力手段や出力手段等のアプリケーションを記憶しておいても良い。通信制御部３２は、ＩＣカードとの間でデータの通信の制御を行う電子回路などのハード部分で、通信インターフェイスのハード部分である。Ｉ／Ｏユニット３３は、その入出力のハード部分である。データ読取手段３７は、端末機器とＩＣカードとの電気的接続部分、あるいは非接触ＩＣカードとの送受信用のアンテナなどで形成される。このような機能を持つデータ読み取り手段は、それに準じたものがＩＣカードにも備えられる。音声出力部は、ＩＣカードから送信された音声データのファイルから音声信号を生成し、音声を出力する。
【００３８】
本発明は、このような例で示される作用を有するから、ＩＣカードと端末機器を利用したＩＣカードシステムで、より利用者の要望に適合し、容易に確実に指示を音声によって伝達できるＩＣカード、端末機器、およびそれを利用したＩＣカードシステムとすることができる。
【符号の説明】
【００３９】
１・・・ＩＣカード
２・・・通信インターフェースによる入力手段
３・・・記憶手段
５・・・音声データ生成手段
６・・・通信インターフェースによる出力手段
１１・・・端末機器
１２・・・通信インターフェースによる入力手段
１３・・・記憶手段
１６・・・通信インターフェースによる出力手段
１７・・・音声信号生成手段
１８・・・音声出力手段
１９・・・入力手段
２０・・・ＩＣカード
２１・・・通信制御部
２２・・・Ｉ／Ｏユニット
２３・・・ＣＰＵ
２４・・・メモリ
３０・・・端末機器
３１・・・ＣＰＵ
３２・・・通信制御部
３３・・・Ｉ／Ｏユニット
３４・・・メモリ
３５・・・音声出力部
３６・・・入力手段
３７・・・データ読取手段
【図１】
2013069032.tif 000003
【図２】
2013069032.tif 000004
【図３】
2013069032.tif 000005
【図５】
2013069032.tif 000006
【図４】
2013069032.tif 000007